【手続補正書】
【提出日】平成16年4月16日(2004.4.16)
【手続補正１】
【補正対象書類名】明細書
【補正対象項目名】００２９
【補正方法】変更
【補正の内容】
【００２９】
以上のように構成された図１〜図１０に示すフルフェイス型ヘルメット１を装着者１０が装着している図１の状態において、装着者１０以外の人（例えば、自動二輪車事故の介護者）がヘルメット１を装着者１０の頭部１１から脱着する工程は、次の（１）項〜（５）項に記載の順序であってよい。
（１）  まず、介護者は、図１０に示すように、左右一対の顎掛け用バンド８ａ、８ｂの相互の係合を解除する。
（２）  ついで、介護者は、図１に示すように、左右一対の頬部用ブロック状内装パッド２０ａ、２０ｂの操作部材５１の操作つまみ部５１ａを左右個別にまたは左右一対同時に手１２の指でつまんで引っ張るか、あるいは、操作つまみ部５１ａの内側面を硬貨などでこじるかして、図４に示す状態から図５に示す状態まで前方に引き出す。この場合、操作部材５１に形成された係止突起３７は、図６に示す固定位置（すなわち、係止孔３９の係止部３９ｂに圧入されて凹凸嵌合している状態）から図７に示す固定解除位置（すなわち、係止孔３９の逃げ部３９ａにゆるく挿入されて凹凸嵌合を解除した状態）へと移動する。したがって、係止突起３７は、図５に示すように、係止部材３５の抜き出しガイド用腕部５４の内側面にガイドされて係止孔３９から多少抜き出された状態となるから、頬部用ブロック状内装パッド２０ａ、２０ｂは顎・頬部用衝撃吸収ライナ１９から内側に向って多少浮き上がった状態となる。
（３）  ついで、介護者は、図１に示す状態から顎・頬部用衝撃吸収ライナ１９と頬部用ブロック状内装パッド２０ａ、２０ｂとの間に手１２の親指などを左右個別にまたは左右一対同時に差し込んで係止部材３４の係止突起３６の近傍における内装パッド２０ａ、２０ｂを衝撃吸収ライナ１９から多少引き離す。この場合、図８に示すように係止部材３５の係止孔３８に圧入されていた係止突起３６が図９の一点鎖線にて示すようにこれらの係止孔３８から抜き出される。
（４）  ついで、介護者は、図１０に示すように頬部用ブロック状内装パッド２０ａ、２０ｂの半ループ形状の引っ張り部材４０に左右個別にまたは左右一対同時に手１２の指を掛けてこれらの引っ張り部材４０を下方に引っ張ることにより、図５および図９の一点鎖線にて示す状態から図９の実線にて示す状態を経て内装パッド２０ａ、２０ｂを衝撃吸収ライナ１９から引っ張り出して頭部保護体２の内部から取り出す。この場合、引っ張り部材４０を上述のように引っ張るだけで、被挾持部材４１の係合爪部４１ｃは挾持部材４２の内側板状部５６の係合爪部５６ａから強引に引き離されるとともに、被挾持部材４１の差し込み部４１ａは頭部用衝撃吸収ライナ１６の後部係止部材２８と頭部用裏当てカバー１７の後部係止部材２６との間から強引に抜き出される。したがって、引っ張り部材４０を或る程度以上の力で引っ張れば、内装パッド２０ａ、２０ｂを頭部保護体２の内部から一気に引っ張り出すことができる。しかし、係合爪部４１ｃ、５６ａが設けられていない場合などは、引っ張り部材４０引っ張ることにより内装パッド２０ａ、２０ｂを頭部保護体２の内部から徐々に引っ張り出すことができるから、途中まで引っ張り出してから引っ張り部材４０の代りに内装パッド２０ａ、２０ｂの本体部分や被挾持部材４１などを掴んで内装パッド２０ａ、２０ｂの残りの部分を引っ張り出してもよく、また、この残りの部分を引っ張り出さないでそのまゝにしておいてもよい。
（５）  ついで、介護者は、頭部保護体２を手１２で持って装着者１０の頭部１１から引き離す。この場合、頬部用ブロック状内装パッド２０ａ、２０ｂが頭部保護体２の内部から全部または部分的になくなっているから、この頭部保護体２を装着者１０の頭部１１から容易に取り外すことができる。
なお、上記（１）項〜（５）項に記載の工程の場合には、左右一対の頬部用ブロック状内装パッド２０ａ、２０ｂをいずれも引っ張り出すようにしたが、左右一対のうちのいずれか一方の内装パッド２０ａまたは２０ｂを全部または途中まで引っ張り出すだけでも、頭部保護体２を装着者１０の頭部１１から或る程度容易に脱着することができる。また、頬部用ブロック状内装パッド２０ａ、２０ｂを頭部保護体２の内部に取り付ける場合には、各部材に上記（２）項、（３）項および（４）項に記載の工程とは逆の動作を順次行わせればよい。たゞし、上記（４）項に記載の工程とは逆の動作を行わせる場合には、頭部保護体２の内部に装着者１０の頭部１１が存在しないから、内装パッド２０ａ、２０ｂを手で持って顎・頬部用衝撃吸収ライナ１９の内側面に当接させればよい。さらに、上記（１）項から（５）項に記載の工程の一部または全部をヘルメット装着者１０自体が行うこともできる。


【手続補正２】
【補正対象書類名】明細書
【補正対象項目名】００３２
【補正方法】変更
【補正の内容】
【００３２】
この第２の実施例において、図１１および図１２に示すフルフェイス型ヘルメット１を装着者１０が装着している図１１の状態において、介護者がヘルメット１を装着者１０の頭部１１から脱着する工程は、第１の実施例における前記（１）項〜（５）項に記載の工程のうちの前記（２）項に記載の工程を、前記（３）項に記載の工程とほゞ同様に、次の（２’）項に記載の工程に置き代えたものであってよい。
（２’）  ついで、介護者は、図１１の実線にて示すように、顎・頬部用衝撃吸収ライナ１９と頬部用ブロック状内装パッド２０ａ、２０ｂとの間に手１２の親指などを左右個別にまたは左右一対同時に差し込んで係止部材３４の係止突起３７の近傍における内装パッド２０ａ、２０ｂを衝撃吸収ライナ１９から多少引き離す。この場合、図８に示す場合と同様に、係止部材３５の係止孔３９に圧入されていた係止突起３７が図９の一点鎖線にて示す場合と同様に、これらの係止孔３９から抜き出される。


【手続補正３】
【補正対象書類名】明細書
【補正対象項目名】００３３
【補正方法】変更
【補正の内容】
【００３３】
なお、この第２の実施例においては、上記（２’）項に記載の工程に先立って前記（３）項に記載の工程を先に行ってもよい。また、図１１の一点鎖線にて示す手１２の親指は、この（３）項に記載の工程を行う状態を示している。


【手続補正４】
【補正対象書類名】明細書
【補正対象項目名】００３６
【補正方法】変更
【補正の内容】
【００３６】
また、既述の第１および第２の実施例においては、係止突起３６、３７および係止孔３８、３９によって構成される第１および第２の取り付け機構を設け、これら第１および第２の取り付け機構によって頬部用ブロック状内装パッド２０ａ、２０ｂを顎・頬部用衝撃吸収ライナ１９に取付けるようにした。しかし、これら第１および第２の取り付け機構のうちのいずれか一方または両方を省略することもできる。そして、これら両方の取り付け機構を省略した場合には、頬部用ブロック状内装パッド２０ａ、２０ｂを頬・顎部用衝撃吸収ライナ１９に被挾持部材４１および挾持部材４２から成る差込み機構などにより取り付けておけば、前記（１）項〜（５）項に記載の工程のうちの前記（２）項および前記（３）項に記載の工程を省略することができるから、ヘルメット１を脱着する工程をきわめて簡単化することができる。


【手続補正５】
【補正対象書類名】明細書
【補正対象項目名】００３７
【補正方法】変更
【補正の内容】
【００３７】
また、既述の第１および第２の実施例においては、頬部用ブロック状内装パッド２０ａ、２０ｂにそれぞれ被挾持部材４１を設けるとともに、顎・頬部用衝撃吸収ライナ１９に左右一対の挾持部材４２を設けた。しかし、これとは逆に、内装パッド２０ａ、２０ｂにそれぞれ挾持部材を設けるとともに、衝撃吸収ライナ１９に左右一対の被挾持部材を設けてもよい。